(57)【特許請求の範囲】
【請求項１】
底フレーム(１)上にモータ台(２)が起立した状態で固定されたモータ台の取付構造において、
上記モータ台(２)の下端部(２１)の両側に設けられた２つの係合爪(３２)と、
上記モータ台(２)の上記係合爪(３２)が夫々係合するように上記底フレーム(１)に設けられた先端が鋭角な形状の２つの係合穴(１０)とを有し、
上記モータ台(２)の上記係合爪(３２)の凹部(３２a)を上記底フレーム(１)の上記係合穴(１０)の鋭角な先端部分に押し付けながら上記係合爪(３２)を上記係合穴(１０)に夫々係合させた状態で、上記モータ台(２)の上記下端部(２１)を上記底フレーム(１)に１つのねじ(４０)により固定したモータ台の取付構造において、
上記底フレーム(１)に設けられ、上記モータ台(２)の上記下端部(２１)の一部が重なる斜面を有する断面台形状の凸部(１１)を有し、
上記凸部(１１)の斜面と上記モータ台(２)の上記下端部(２１)とが重なる部分を上記ねじ(４０)により固定したことを特徴とするモータ台の取付構造。
【発明の詳細な説明】
【０００１】
【発明の属する技術分野】
この発明は、空気調和機の室外ユニット等に用いられるモータ台の取付構造に関する。
【０００２】
【従来の技術】
従来、モータ台の取付構造としては、室外ファンを駆動するモータが取り付けられるモータ台を起立した状態で底フレームに固定した空気調和機の室外ユニットがある。このモータ台の取付構造では、モータ台の下端部の両端に設けられた２つの係合爪を底フレームに設けられた係合穴に夫々係合させて、モータ台の下端部を２本のねじを用いて底フレームに固定することによって、室外ファンとモータとを支えるのに必要な強度を得ている。
【０００３】
【発明が解決しようとする課題】
ところが、上記モータ台の取付構造では、モータ台を起立した状態でねじ２本により底フレームに固定しているため、取り付け工数が増えてコストがかかるという欠点がある。
【０００４】
そこで、この発明の目的は、底フレーム上に１本のねじによりモータ台を起立した状態で確実に固定でき、取付工数とコストを削減できるモータ台の取付構造を提供することにある。
【０００５】
【課題を解決するための手段】
上記目的を達成するため、請求項１のモータ台の取付構造は、底フレーム上にモータ台が起立した状態で固定されたモータ台の取付構造において、上記モータ台の下端部の両側に設けられた２つの係合爪と、上記モータ台の上記係合爪が夫々係合するように上記底フレームに設けられた先端が鋭角な形状の２つの係合穴とを有し、上記モータ台の上記係合爪の凹部を上記底フレームの上記係合穴の鋭角な先端部分に押し付けながら上記係合爪を上記係合穴に夫々係合させた状態で、上記モータ台の上記下端部を上記底フレームに１つのねじにより固定したモータ台の取付構造において、上記底フレームに設けられ、上記モータ台の上記下端部の一部が重なる斜面を有する断面台形状の凸部を有し、上記凸部の斜面と上記モータ台の上記下端部とが重なる部分を上記ねじにより固定したことを特徴としている。
【０００６】
上記請求項１のモータ台の取付構造によれば、上記モータ台を底フレームに固定するとき、モータ台の下端部の両側に設けられた２つの係合爪を底フレームに設けられた２つの係合穴に夫々挿入して、その係合穴の鋭角な先端部分(外側に向かって徐々に幅狭となる部分)にモータ台の係合爪の凹部を押し付けると、モータ台が底フレームの係合穴の２箇所で位置決めされた状態となる。そして、その状態で、例えば上記両係合爪を結ぶ直線上の領域を除く箇所でモータ台の下端部を底フレームに１つのねじにより固定することによって、モータ台は三角形を形成する３点でしっかりと固定され、底フレームの係合穴からモータ台の下端部の係合爪が抜けることがない。したがって、１本のねじによりモータ台を起立した状態で底フレーム上に確実に固定でき、取付工数とコストを削減できる。
【０００７】
【０００８】
また、上記底フレームの断面台形状の凸部の斜面とモータ台の下端部とが重なる部分で上記ねじにより固定することによって、モータ台の下端部と底フレームとが水平面で接するのに比べて、モータ台のねじれに対して、上記底フレームの凸部の斜面とモータ台の下端部とが重なる部分の面でも支えるからモータ台の強度を向上できる。
【０００９】
【発明の実施の形態】
以下、この発明のモータ台の取付構造を図示の実施の形態により詳細に説明する。
【００１０】
図１(A)はこの発明の実施の一形態のモータ台の取付構造の状態を示す正面図であり、図１(B)は図１(A)の左側方から見た側面図である。図１(A),(B)に示すように、外縁部に上方に延びる折曲部１aが形成された底フレーム１上に、モータ台２を起立した状態で固定している。上記モータ台２は、モータ(図示せず)を取り付ける取付穴２３aを有する略四角形状の基部２３と、上記基部２３の下側の両コーナー部から下方に延びる２本の下支持部材２２と、上記下支持部材２２の夫々下端を連結する下端部２１と、上記基部２３の上側の両コーナー部から上方に延びる２本の上支持部材２４と、上記上支持部材２４の夫々の上端を連結する上端部２５とを有している。上記下支持部材２２と上支持部材２４の外側縁部に補強用の折曲部２２a,２４aを夫々設けている。上記底フレーム１およびモータ台２は、夫々１枚の金属板を板材成形により立体形状にしたものである。上記モータ台２の上端部２５を天板(図示せず)に固定する。
【００１１】
また、図２(A)は上記モータ台２が取り付けられた底フレーム１の要部の上面図を示し、図２(B)は図２(A)に示す領域Ｂの拡大図を示している。図２(A)に示すように、底フレーム１に断面略台形状の凸部１１を設けている。上記底フレーム１の凸部１１の略長方形状の上面１１aの両端近傍に、上面１１aの長手方向に対して略直角に互いに平行な長穴形状の係合穴１０,１０を設け、係合穴１０,１０夫々の長手方向の一方(図２(A)中の上方)を先端が外側に向かって徐々に幅狭となる鋭角な形状にしている。一方、上記モータ台２の下端部２１は、略直角に折れ曲がる折曲部２１aと、上記折曲部２１aの先端から斜め下方に折れ曲がる傾斜部２１bとを有している。また、図２(B)に示すように、上記折曲部２１aの両端に、外向に延びる基部３１と、その基部３１の先端から下方に延びさらに側方に湾曲するかぎ状の係合爪３２とを設けている。上記モータ台２の各係合爪３２が底フレーム１の係合穴１０,１０に夫々係合した状態で、底フレーム１の凸部１１の上面１１aと斜面１１bに、モータ台２の下端部２１の折曲部２１aと傾斜部２１bとが夫々重なる。
【００１２】
図３(A)は上記モータ台２を底フレーム１に固定する前の状態を示し、図３(B)は上記モータ台２を底フレーム１に固定したときの状態を示している。以下、図３(A),(B)に従ってモータ台２の取り付け手順を説明する。
【００１３】
まず、図３(A)に示す状態から矢印Ｒ1の方向にモータ台２の係合爪３２を底フレーム１の凸部１１の係合穴１０に挿入し、図３(B)に示すように、矢印Ｒ2の方向にモータ台２を略水平に移動させて、モータ台２の係合爪３２の根元の凹部３２aが底フレーム１の凸部１１の係合穴１０の鋭角な先端部分(図２(B)に示す)に当接する。次に、その状態でモータ台２の下端部２１の穴２０にねじ４０を挿入し、底フレーム１の凸部１１のねじ穴３０に螺合する。そうすることによって、上記モータ台２の下端部２１は、２つの係合爪３２と１本のねじ４０によって、底フレーム１に起立した状態で固定される。
【００１４】
このように、１本のねじ４０により底フレーム１上にモータ台２を起立した状態で確実に固定でき、取付工数とコストを削減することができる。
【００１５】
また、上記底フレーム１の断面台形状の凸部１１の斜面１１bとモータ台２の下端部２１の傾斜部２１bとが重なる部分でねじ４０により固定することによって、モータ台２のねじれに対して底フレーム１の凸部１１の斜面１１bとモータ台２の下端部２１の傾斜部２１bとが重なる部分の斜面でも支えるから、モータ台の下端部が底フレームに水平面で接する場合に比べて、室外ファンやモータを支えるモータ台２の強度を向上できる。
【００１６】
上記実施の形態では、空気調和機の室外ユニットのモータ台の取付構造について説明したが、空気調和機の室外ユニットに限らず、底フレーム上にモータ台が起立した状態で固定される他の機器にこの発明を適用してもよいのは勿論である。
【００１７】
【発明の効果】
以上より明らかなように、請求項１の発明のモータ台の取付構造は、底フレーム上にモータ台が起立した状態で固定されたモータ台の取付構造において、上記モータ台の下端部の両側に設けられた２つの係合爪と、上記モータ台の各係合爪が夫々係合するように底フレームに設けられた先端が鋭角な形状の２つの係合穴とを有し、上記モータ台の係合爪を底フレームの係合穴の鋭角な先端部分に押し付けて係合穴に係合した状態で、モータ台の下端部を底フレームに１つのねじにより固定したモータ台の取付構造において、上記底フレームに設けられ、モータ台の下端部の一部が重なる斜面を有する断面台形状の凸部を有し、上記底フレームに形成された断面台形状の凸部の斜面とモータ台の下端部とが重なる部分で上記ねじにより固定するものである。
【００１８】
したがって、請求項１の発明のモータ台の取付構造によれば、モータ台の下端部の両側に設けられた２つの係合爪を底フレームに設けられた２つの係合穴に夫々挿入し、その係合穴の鋭角な先端部分に上記モータ台の係合爪を押し付けた状態で、モータ台の下端部を底フレームに１つのねじにより固定することによって、モータ台がしっかりと固定され、底フレームの係合穴からモータ台の下端部の係合爪が抜けることがない。したがって、１本のねじによりモータ台を起立した状態で底フレーム上に確実に固定でき、取付工数とコストを削減することができる。
【００１９】
また、上記底フレームに形成された断面台形状の凸部の斜面とモータ台の下端部とが重なる部分で上記ねじにより固定するので、モータ台の下端部と底フレームとが水平面で接するのに比べて、モータ台のねじれに対して強度が向上する。
【図面の簡単な説明】
【図１】  図１(A)はこの発明の実施の一形態のモータ台の取付構造を示す正面図であり、図１(B)は図１(A)を側方から見た側面図である。
【図２】  図２(A)は図１(B)のII−II線から見た要部の上面図であり、図２(B)は図２(A)に示す領域Ｂの拡大図である。
【図３】  図３(A)は上記モータ台を底フレームに固定する前の要部の状態を示す図であり、図３(B)は上記モータ台を底フレームに固定したときの要部の状態を示す図である。
【符号の説明】
１…底フレーム、
２…モータ台、
１０…係合穴、
１１…凸部、
２１…下端部、
３２…係合爪、
４０…ねじ。
【図１】
0003637818.tif 000002
【図２】
0003637818.tif 000003
【図３】
0003637818.tif 000004